(57)【要約】【課題】飾り表示部における発光パターンを変化させることにより、表示部に表示される情報を十分に目立たせることができる表示装置を提供する。【解決手段】液晶表示部１４には所定の情報が表示され、その液晶表示部１４の近傍にはベルト１８とともに発光するＬＥＤ２２が配置されている。そして、ＬＥＤ２２は、発光した状態でベルト１８により所定の方向に移動される。このように、発光するＬＥＤ２２が移動部により所定の方向に移動されるため、液晶表示部１４に表示される所定の情報を目立たせることができる。【選択図】      図１
2007171356.tif 000002
【特許請求の範囲】
【請求項１】
所定の情報を表示する表示部と、
前記表示部の近傍に移動可能に配置され発光する飾り表示部と、
前記飾り表示部を所定の方向に移動させる移動部と、
を含んで構成されたことを特徴とする表示装置。
【請求項２】
前記飾り表示部は、ＬＥＤであり、
前記移動部は、前記ＬＥＤが取り付けられたベルトと、前記ベルトを回転移動させるローラであることを特徴とする請求項１に記載の表示装置。
【請求項３】
前記飾り表示部の移動速度が変化することを特徴とする請求項１又は２に記載の表示装置。
【請求項４】
前記ローラの外側面は、多角形状に形成されており、
前記ベルトは、前記ローラの外側面に掛け渡されていることを特徴とする請求項２又は３に記載の表示装置。
【発明の詳細な説明】
【技術分野】
【０００１】
本発明は、所定の情報を表示する表示部を備えた表示装置に係り、特に、表示部の周囲に飾り表示部を設けた表示装置に関する。
【背景技術】
【０００２】
従来の表示装置の中には、所定の情報を表示する表示部と、その表示部の周囲に配置された飾り表示部と、を備えたものがある。この飾り表示部として例えばＬＥＤが用いられており、表示部の周囲に複数のＬＥＤが取り付けられている（下記特許文献１の図８、図９参照）。
【特許文献１】特開２００４−３２５４７２号公報
【発明の開示】
【発明が解決しようとする課題】
【０００３】
ところで、上記従来の表示装置では、表示部の周囲に取り付けられたＬＥＤが単に発光しているだけであり、発光パターンが単調なものになっていた。このため、表示部に表示される情報を目立たせることが困難であり、飾り表示部としての機能を十分に果たすものではなかった。
【０００４】
そこで、本発明は、上記事情を考慮し、簡易な構成で、飾り表示部における発光パターンを変化させることにより、表示部に表示される情報を十分に目立たせることができる表示装置を提供することを目的とする。
【課題を解決するための手段】
【０００５】
請求項１に記載の発明は、所定の情報を表示する表示部と、前記表示部の近傍に移動可能に配置され発光する飾り表示部と、前記飾り表示部を所定の方向に移動させる移動部と、を含んで構成されたことを特徴とする。
【０００６】
請求項１に記載の発明によれば、表示部には所定の情報が表示され、その表示部の近傍には発光する飾り表示部が配置されている。そして、飾り表示部は、発光した状態で移動部により所定の方向に移動される。このように、発光する飾り表示部が移動部により所定の方向に移動されるため、表示部に表示される所定の情報を目立たせることができる。
【０００７】
請求項２に記載の発明は、請求項１に記載の表示装置において、前記飾り表示部は、ＬＥＤであり、前記移動部は、前記ＬＥＤが取り付けられたベルトと、前記ベルトを回転移動させるローラであることを特徴とする。
【０００８】
請求項２に記載の発明によれば、飾り表示部はＬＥＤであり、移動部はＬＥＤが取り付けられたベルトとベルトを回転移動させるローラであることにより、飾り表示部と移動部を簡易な構成にすることができる。これにより、表示装置の製造コストやランニングコストが大幅に上昇してしまうことを抑制することができる。
【０００９】
請求項３に記載の発明は、請求項１又は２に記載の表示装置において、前記飾り表示部の移動速度が変化することを特徴とする。
【００１０】
請求項３に記載の発明によれば、飾り表示部の移動速度が変化することにより、飾り表示部の発光パターンを変化させることができる。これにより、飾り表示部の発光パターンが単調になってしまうことを防止でき、表示部に表示される情報を大きく目立たせることができる。
【００１１】
請求項４に記載の発明は、請求項２又は３に記載の表示装置において、前記ローラの外側面は、多角形状に形成されており、前記ベルトは、前記ローラの外側面に掛け渡されていることを特徴とする。
【００１２】
請求項４に記載の発明によれば、ローラの外側面が多角形状に形成されており、ベルトはローラの外側面に掛け渡されているため、ローラを回転させると、ベルトに外周方向への動きを与えることができる。これにより、表示部に表示された情報をより目立たせることができる。
【発明の効果】
【００１３】
本発明によれば、飾り表示部における発光パターンを変化させることにより、表示部に表示される情報を十分に目立たせることができる。
【発明を実施するための最良の形態】
【００１４】
次に、本発明の一実施形態に係る表示装置について、図面を参照して説明する。
【００１５】
図１及び図２に示すように、表示装置１０は、筐体１２と、筐体１２の前面に設けられた所定の情報を表示する液晶表示部１４と、を備えている。この液晶表示部１４は、正面視にて長方形状に形成されている。また、表示装置１０は、液晶表示部１４で表示させる情報を記憶するＲＯＭ１６を備えている。また、液晶表示部の周囲には、ベルト１８が配置されている。このベルト１８は正面視にて長方形状となるように配置されており、４つの角部には、回転ローラ２０が配置されている。すなわち、ベルト１８は４つの回転ローラ２０に掛け渡された構成になっている。このベルト１８には、全長にわたって所定の色に発光する複数のＬＥＤ２２が取り付けられている。また、４つの回転ローラ２０のうち少なくとも１つの回転ローラ２０の回転軸には、モータ２４が接続されている。このため、モータ２４の駆動により、モータ２４と接続されている回転ローラ２０が回転し、さらに他の回転ローラ２０も従属的に回転する。また、各回転ローラ２０の形状は、正面視にて多角形状となるように形成されている。このため、各回転ローラ２０とベルト１８との間は回転ローラ２０の多角形を構成する１つの側面と常に接触しており、回転ローラ２０が回転することにより回転ローラ２０の他の側面がベルト１８に順次接触していくことになる。
【００１６】
次に、本実施形態の表示装置１０の作用について説明する。
【００１７】
図１及び図２に示すように、モータ２４に接続されている回転ローラ２０が回転駆動かると、この回転ローラ２０の回転駆動力がベルト１８を介して他の回転ローラ２０に伝達し、ベルト１８とともに他の回転ローラ２０も従属的に回転する。これにより、ベルト１８に取り付けられている複数のＬＥＤ２２は、ベルト１８とともに液晶表示部１４の周囲を順次回転移動することになる。
【００１８】
ここで、各回転ローラ２０は多角形状にそれぞれ形成されているため、各回転ローラ２０の一側面とベルト１８とが接触した後、他の一側面とベルト１８とが接触するときに、ベルト１８の移動速度が変化する。このため、ベルト１８に取り付けられている複数のＬＥＤ２２の移動速度も変化する。このように、ベルト１８の移動速度（動き）に変化を加えることにより、複数のＬＥＤ２２の移動速度（動き）に変化をもたせることができる。この結果、簡易な構成で、複数のＬＥＤ２２における発光パターンを変化させることにより、液晶表示部１４に表示される情報を十分に目立たせることができる。
【００１９】
特に、４つの回転ローラ２０をそれぞれ別形状の多角形状に形成することにより、ベルト１８に外周方向への動きを与えることができるため、上記ＬＥＤ２２の動きの変化をより複雑なものに設定することができ、発光パターンをより複雑なものにすることができる。
【００２０】
また、モータ２４の駆動を制御する制御部２６を別に設け、制御部２６によりモータ２４の駆動を制御することにより、各回転ローラ２０の回転数を増減させるようにしてもよい。この構成によっても、ベルト１８の移動速度（動き）に変化を加えることにより、複数のＬＥＤ２２の移動速度（動き）に変化をもたせることができる。
【００２１】
さらに、全ての回転ローラ２０に対してモータ２４をそれぞれ接続させるようにして、各モータ２４の駆動力により各回転ローラ２０を別個独立に回転させるようにしてもよい。
【００２２】
以上のように、本実施形態の表示装置１０によれば、発光する複数のＬＥＤ２２がベルト１８により所定の方向に移動されるため、液晶表示部１４に表示される所定の情報を目立たせることができる。特に、飾り表示部としてＬＥＤ２２を用い、移動部をＬＥＤ２２が取り付けられたベルト１８とベルト１８を回転移動させる回転ローラ２０で構成することにより、飾り表示部と移動部を簡易な構成にすることができる。これにより、表示装置１０の製造コストやランニングコストが大幅に上昇してしまうことを抑制することができる。また、上述したように、ＬＥＤ２２の移動速度が変化することにより、ＬＥＤ２２の発光パターンを変化させることができるため、ＬＥＤ２２の発光パターンが単調になってしまうことを防止でき、液晶表示部１４に表示される情報を大きく目立たせることができる。
【図面の簡単な説明】
【００２３】
【図１】本発明の一実施形態に係る表示装置の概略構成図である。
【図２】本発明の一実施形態に係る表示装置のブロック図である。
【符号の説明】
【００２４】
１０        表示装置
１４        液晶表示部（表示部）
１８        ベルト（移動部）
２０        回転ローラ（移動部、ローラ）
２２        ＬＥＤ（飾り表示部）
【図１】
2007171356.tif 000003
【図２】
2007171356.tif 000004